(57)【要約】【課題】圧電アクチュエータ周りの部品点数の増加を抑えることにより、小型化及び低コスト化を図ることができるレンズ駆動装置を提供する。【解決手段】レンズ駆動装置１Ａでは、圧電アクチュエータ２１の一面側がレンズホルダ４の側面に当接した状態において、連結部３１ｆ，３２ｆ，３３ｃ，３４ｃが弾性変形することにより、圧電アクチュエータ２１の少なくとも他面側がプレート部材３０の法線方向に沿って枠部３１ａ，３１ｂ，３２ａ，３３ａ，３４ａよりも外側に押し出されている。これにより、圧電アクチュエータ２１には、レンズホルダ４側に向かう方向の反力が作用し、圧電アクチュエータ２１とレンズホルダ４の側面との当接状態が維持される。また、従来のようなフレキシブルプリント基板が不要となるので、圧電アクチュエータ２１周りの部品点数の増加が抑えられ、装置の小型化及び低コスト化が図られる。【選択図】図５
2011133801.tif 000002
【特許請求の範囲】
【請求項１】
レンズを保持可能な貫通孔を有するレンズホルダと、
前記レンズホルダを前記レンズの光軸方向に移動可能に支持するシャフトと、前記シャフトの周りに配置された複数の支柱とが設けられたベース部と、
前記レンズホルダの側面に当接して配置され、前記レンズホルダを前記光軸方向に沿って移動させる圧電アクチュエータと、
前記圧電アクチュエータの一面側を前記レンズホルダの側面に対して押圧する略板状の押圧部材と、を備え、
前記圧電アクチュエータは、印加された電圧値に応じて伸縮する複数の圧電素子を有し、
前記圧電アクチュエータの他面側には、前記圧電素子の伸縮が生じない位置であるノードポイントに対応して外部電極及び接地電極が形成され、
前記押圧部材は、
前記外部電極及び接地電極にそれぞれ接続される配線部と、
前記支柱に対して固定される枠部と、
前記配線部と前記枠部とを連結する連結部と、を有し、
前記圧電アクチュエータの一面側が前記レンズホルダの側面に当接した状態において、前記連結部が弾性変形することにより、前記圧電アクチュエータの少なくとも他面側が前記押圧部材の法線方向に沿って前記枠部よりも外側に押し出されていることを特徴とするレンズ駆動装置。
【請求項２】
前記ベース部には、前記押圧部材の前記枠部が通る挿通孔が設けられ、
前記枠部の端部は、前記挿通孔を通って前記ベース部の外側に引き出されていることを特徴とする請求項１記載のレンズ駆動装置。
【請求項３】
前記連結部は、前記配線部と前記枠部との間で複数回にわたって折れ曲がっていることを特徴とする請求項１又は２記載のレンズ駆動装置。
【請求項４】
前記押圧部材は、前記ベース部において隣り合う支柱間に掛け渡されていることを特徴とする請求項１〜３のいずれか一項記載のレンズ駆動装置。
【発明の詳細な説明】
【技術分野】
【０００１】
本発明は、例えば携帯電話等に搭載されるカメラ用レンズを駆動するレンズ駆動装置に関する。
【背景技術】
【０００２】
この種の分野の技術として、例えば特許文献１に記載のレンズ駆動装置がある。この従来のレンズ駆動装置は、レンズを保持すると共に被摩擦部材を側面に有するレンズホルダと、レンズホルダを光軸方向に移動可能に支持する案内部を備えるベースと、被摩擦部材に接する摩擦部材を有し、レンズホルダに光軸方向の駆動力を与える圧電アクチュエータと、被摩擦部材と摩擦部材との接触状態を維持するように圧電アクチュエータをレンズホルダ側に押圧する押圧部材とを備えて構成されている。
【０００３】
また、例えば特許文献２に記載の超音波振動子には、圧電アクチュエータに接続する外部端子の構成が開示されている。この従来の超音波振動子では、圧電アクチュエータの電極に対応する基板電極と接地用電極とを有するフレキシブルプリント基板を、圧接によって圧電アクチュエータに一体的に締結している。
【先行技術文献】
【特許文献】
【０００４】
【特許文献１】特開２００８−４００７６号公報
【特許文献２】特開平７−１１５７８３号公報
【発明の概要】
【発明が解決しようとする課題】
【０００５】
しかしながら、上述した特許文献２で用いているフレキシブルプリント基板を特許文献１のレンズ駆動装置の圧電アクチュエータに適用しようとする場合、圧電アクチュエータ周りの部品点数が増加することとなる。圧電アクチュエータ周りの部品点数の増加は、装置の小型化及び低コスト化を妨げるおそれがあるため、極力抑えることが望ましい。
【０００６】
本発明は、上記課題の解決のためになされたものであり、圧電アクチュエータ周りの部品点数の増加を抑えることにより、小型化及び低コスト化を図ることができるレンズ駆動装置を提供することを目的とする。
【課題を解決するための手段】
【０００７】
上記課題の解決のため、本発明に係るレンズ駆動装置は、レンズを保持可能な貫通孔を有するレンズホルダと、レンズホルダをレンズの光軸方向に移動可能に支持するシャフトと、シャフトの周りに配置された複数の支柱とが設けられたベース部と、レンズホルダの側面に当接して配置され、レンズホルダを光軸方向に沿って移動させる圧電アクチュエータと、圧電アクチュエータの一面側をレンズホルダの側面に対して押圧する略板状の押圧部材と、を備え、圧電アクチュエータは、印加された電圧値に応じて伸縮する複数の圧電素子を有し、圧電アクチュエータの他面側には、圧電素子の伸縮が生じない位置であるノードポイントに対応して外部電極及び接地電極が形成され、押圧部材は、外部電極及び接地電極にそれぞれ接続される配線部と、支柱に対して固定される枠部と、配線部と枠部とを連結する連結部と、を有し、圧電アクチュエータの一面側がレンズホルダの側面に当接した状態において、連結部が弾性変形することにより、圧電アクチュエータの少なくとも他面側が押圧部材の法線方向に沿って枠部よりも外側に押し出されていることを特徴としている。
【０００８】
このレンズ駆動装置では、圧電アクチュエータの一面側がレンズホルダの側面に当接した状態において、連結部が弾性変形することにより、圧電アクチュエータの少なくとも他面側が押圧部材の法線方向に沿って枠部よりも外側に押し出されている。この連結部の弾性変形により、圧電アクチュエータには、レンズホルダ側に向かう方向の反力が作用するので、圧電アクチュエータとレンズホルダの側面との当接状態が維持される。また、押圧部材は、外部電極及び接地電極にそれぞれ接続される配線部と、支柱に対して固定される枠部と、配線部と枠部とを連結する連結部とを有している。したがって、押圧部材が圧電アクチュエータの外部端子としての機能を兼ね備えることとなり、従来のようなフレキシブルプリント基板が不要となるので、圧電アクチュエータ周りの部品点数の増加を抑えることができる。これにより、装置の小型化及び低コスト化が図られる。
【０００９】
また、ベース部には、押圧部材の枠部が通る挿通孔が設けられ、枠部の端部は、挿通孔を通ってベース部の外側に引き出されていることが好ましい。これにより、圧電アクチュエータ周りの構成がより簡素化するので、装置の一層の小型化が図られる。
【００１０】
また、連結部は、配線部と枠部との間で複数回にわたって折れ曲がっていることが好ましい。こうすると、連結部の長さが確保され、圧電アクチュエータがレンズホルダの側面を押圧するための所定のバネ定数が得られる。
【００１１】
また、押圧部材は、ベース部において隣り合う支柱間に掛け渡されていることが好ましい。このような構成によれば、支柱間の空きスペースを利用することで、圧電アクチュエータをレンズホルダの側面に近接して配置できるため、装置の更なる小型化が図られる。
【発明の効果】
【００１２】
本発明によれば、圧電アクチュエータ周りの部品点数の増加を抑えることにより、小型化及び低コスト化を図ることができる。
【図面の簡単な説明】
【００１３】
【図１】本発明の第１実施形態に係るレンズ駆動装置を示す斜視図である。
【図２】図１に示したレンズ駆動装置の分解斜視図である。
【図３】図１に示したレンズ駆動装置をカバー部を取り除いた状態で示す斜視図である。
【図４】図３の平面図である。
【図５】図１に示したレンズ駆動装置における圧電アクチュエータユニットの正面図である。
【図６】圧電アクチュエータの駆動時の様子を示す図である。
【図７】本発明の第２実施形態に係るレンズ駆動装置を示す斜視図である。
【図８】図７に示したレンズ駆動装置の分解斜視図である。
【図９】図７に示したレンズ駆動装置をカバー部を取り除いた状態で示す斜視図である。
【図１０】図９の平面図である。
【図１１】変形例に係る第２の張出部を示す要部拡大図である。
【発明を実施するための形態】
【００１４】
以下、図面を参照しながら、本発明に係るレンズ駆動装置の好適な実施形態について詳細に説明する。
【００１５】
［第１実施形態］
図１は、本発明の第１実施形態に係るレンズ駆動装置を示す斜視図である。また、図２は、その分解斜視図であり、図３は、図１に示したレンズ駆動装置をカバー部を取り除いて示す斜視図である。さらに、図４は、図３の平面図である。図１〜図４に示すレンズ駆動装置１Ａは、例えば携帯電話等に搭載されるカメラ用レンズを駆動する装置であり、ベース部２と、カバー部３と、レンズホルダ４と、圧電アクチュエータユニット５とを備えて構成されている。
【００１６】
ベース部２は、例えばガラスファイバや無機質等のフィラーを含んだ液晶ポリマーによって形成され、扁平な略直方体形状をなしている。ベース部２の一面側には、図２及び図３に示すように、一方の対角線上で対向する隅部２ｂ，２ｂに対応して磁性体からなる断面真円形の第１のシャフト１１及び第２のシャフト１２が立設されている。また、ベース部２の一面側において、第１のシャフト１１及び第２のシャフト１２の周りには、四隅に対応して４つの支柱１３が立設されている。
【００１７】
カバー部３は、例えばＳＰＣＣ（冷間圧延鋼）によって形成され、一面側が開口した中空の略直方体形状をなしている。カバー部３の表面の中央部分には、図１及び図２に示すように、レンズホルダ４に取付けられるレンズ（不図示）を露出させる円形の開口部３ａが形成されている。また、開口部３ａの周りには、第１のシャフト１１、第２のシャフト１２、及び支柱１３の位置に対応して、円形の開口部３ｂがそれぞれ形成されている。カバー部３は、図１に示すように、第１のシャフト１１の先端部１１ａ、第２のシャフト１２の先端部１２ａ、及び支柱１３の先端部１３ａを開口部３ｂにそれぞれ通した状態で、例えば熱カシメによってベース部２に固定されている。
【００１８】
レンズホルダ４は、例えばカーボンファイバを含んだ液晶ポリマーによって形成され、断面略八角形の筒状をなしている。レンズホルダ４の中央部分には、図２及び図３に示すように、レンズを保持可能な貫通孔４ａが形成されている。また、レンズホルダ４の側面には、図４に示すように、レンズホルダ４の高さと同程度で外側に向かって張り出す第１の張出部１６が形成され、第１の張出部１６には、第１のシャフト１１に対応する挿通孔１６ａが形成されている。レンズホルダ４は、第１の張出部１６の挿通孔１６ａに第１のシャフト１１を通すことにより、第１のシャフト１１の軸方向（レンズの光軸方向）に移動可能、かつ第１のシャフト１１周りに回動可能に支持されている。
【００１９】
また、レンズホルダ４の側面において、第１の張出部１６に対向する位置には、板状をなす第２の張出部１７が形成されている。この第２の張出部１７は、レンズホルダ４が第１のシャフト１１に支持された状態において、第２のシャフト１２に近接配置されており、第２の張出部１７における第２のシャフト１２と反対側の面には、矩形のマグネット１８が固定されている。
【００２０】
したがって、マグネット１８と第２のシャフト１２との間に生じる磁力により、レンズホルダ４には、第２の張出部１７が第２のシャフト１２に引き付けられる向きの回動方向（図４における矢印Ａ方向）の付勢力が常に付与される。なお、レンズホルダ４の回動は、レンズホルダ４の側面が圧電アクチュエータ２１のバンプ２１ａに当接する位置で停止し、この状態において第２の張出部１７と第２のシャフト１２との間には、一定の間隔が形成されている。
【００２１】
なお、このレンズ駆動装置１Ａでは、レンズホルダ４を挟んで第１のシャフト１１に対向する位置に第２のシャフト１２及びマグネット１８が配置されている。したがって、レンズホルダ４の回動中心である第１のシャフト１１と圧電アクチュエータ２１がレンズホルダ４の側面を押圧する作用点であるバンプ２１ａとの間の距離に比べて、第１のシャフト１１と第２のシャフト１２との間の距離を十分に確保できるので、マグネット１８の磁力を比較的小さくすることができる。
【００２２】
一方、図５に示すように、圧電アクチュエータユニット５は、圧電アクチュエータ２１と、プレート部材（押圧部材）３０とによって構成されている。圧電アクチュエータユニット５は、第１のシャフト１１に近接配置されている支柱１３（以下「支柱１３Ａ」と称す）と、第１のシャフト１１及び第２のシャフト１２のいずれにも近接していない２つの支柱１３のうち、第２の張出部１７側から見て矢印Ａ方向の先端側に配置されている支柱１３（以下「支柱１３Ｂ」と称す）との間に配置されている（図３参照）。
【００２３】
圧電アクチュエータ２１は、印加された電圧値に応じて伸縮する複数の圧電素子を有している。圧電アクチュエータ２１の一面側には、圧電素子の配列方向に沿って例えば半円筒状のバンプ２１ａが複数設けられており、他面側には、圧電素子の伸縮が生じない位置（ノードポイント）に対応して、外部電極２３Ａ、外部電極２３Ｂ、及び接地電極２４が設けられている。
【００２４】
この圧電アクチュエータ２１では、圧電素子が配列方向に振動する縦振動モードと、厚さ方向に振動する曲げ振動モードの重ね合わせによって駆動時の伸縮がなされる。図６は、圧電アクチュエータ２１の駆動時の様子を示した図であり、外部電極２３Ａ，２３Ｂと接地電極２４との間に所定の電圧が印加されると、図６（ａ）及び図６（ｂ）に示すように、圧電アクチュエータ２１のバンプ２１ａがレンズホルダ４を光軸方向に沿って駆動させる。
【００２５】
同図に示す例では、圧電素子の境界部分と、圧電アクチュエータ２１の配列（光軸）方向の長さをＬとした場合に圧電アクチュエータの端部から１／６Ｌ程度内側となる位置とに、３箇所のノードポイントＮ１，Ｎ２，Ｎ３が存在している。なお、ノードポイントＮ１は、圧電素子の配列方向にも厚さ方向にも変位せず、ノードポイントＮ２，Ｎ３は、圧電素子の配列方向には変位するが厚さ方向には変位しないようになっている。
【００２６】
外部電極２３Ａ及び外部電極２３Ｂは、例えば矩形状をなし、中央のノードポイントＮ１に対応するように互いに離間して設けられている。また、接地電極２４は、中央のノードポイントＮ１の一方側にあるノードポイントＮ２から、中央のノードポイントＮ１の他方側にあるノードポイントＮ３にかけて帯状に形成されている。
【００２７】
プレート部材３０は、例えば板バネのような弾性部材によって略長方形状に形成され、圧電アクチュエータ２１を固定する固定部材としての機能と、圧電アクチュエータ２１をレンズホルダ４の側面に向けて押圧する押圧部材としての機能と、圧電アクチュエータ２１の外部端子としての機能とを兼ね備えている。より具体的には、プレート部材３０は、図５に示すように、圧電アクチュエータ２１の接地電極２４の一方端に接続される第１の配線３１と、接地電極２４の他方端に接続される第２の配線３２と、外部電極２３Ａに接続される第３の配線３３と、外部電極２３Ｂに接続される第４の配線３４とを有し、全体として略長方形の板状をなしている。
【００２８】
第１の配線３１は、支柱１３Ａ及び支柱１３Ｂに沿って延びる枠部３１ａ，３１ａと、圧電アクチュエータ２１よりも支柱１３Ａ及び支柱１３Ｂの先端側となる位置で支柱１３Ａと支柱１３Ｂとの間に延びる枠部３１ｂと、枠部３１ｂと接地電極２４の一方端とを繋ぐ配線部３１ｃとを有している。配線部３１ｃは、接地電極２４の一方端に固定される接続部３１ｄと、圧電アクチュエータ２１の両側で枠部３１ｂに接続される端部３１ｅ，３１ｅと、接続部３１ｄの両端から端部３１ｅ，３１ｅに延びる連結部３１ｆ，３１ｆとを有している。
【００２９】
第２の配線３２は、圧電アクチュエータ２１よりも支柱１３Ａ及び支柱１３Ｂの基端側となる位置で支柱１３Ａと支柱１３Ｂとの間に延びる枠部３２ａと、枠部３２ａと接地電極２４の他方端とを繋ぐ配線部３２ｂと、枠部３２ａの略中央からベース部２側に延びる枠部３２ｃとを有している。配線部３２ｂは、接地電極２４の他方端に固定される接続部３２ｄと、圧電アクチュエータ２１の両側で枠部３２ａに接続される端部３２ｅ，３２ｅと、接続部３２ｄの両端から端部３２ｅ，３２ｅに延びる連結部３２ｆ，３２ｆとを有している。第２の配線３２の配線部３２ｂは、接地電極２４に沿って延びる連結部３５により、第１の配線３１の配線部３１ｃと繋がった状態となっている。
【００３０】
また、第３の配線３３は、第１の配線３１の枠部３１ａよりも内側で支柱１３Ｂに沿って延びる枠部３３ａと、外部電極２３Ａに固定される接続部３３ｂと、枠部３３ａと接続部３３ｂとを繋ぐ連結部３３ｃとを有している。第４の配線３４は、第１の配線３２の枠部３１ａよりも内側で支柱１３Ａに沿って延びる枠部３４ａと、外部電極２３Ｂに固定される接続部３４ｂと、枠部３４ａと接続部３４ｂとを繋ぐ連結部３４ｃとを有している。
【００３１】
このような構成を有するプレート部材３０は、第１の配線３１の枠部３１ａ，３１ａが支柱１３Ａ及び支柱１３Ｂの内側に接着されることにより、圧電アクチュエータ２１のバンプ２１ａがレンズホルダ４の側面に当接した状態で、支柱Ａ及び支柱Ｂの間に架け渡されて固定されている。このとき、上述したように、レンズホルダ４には、マグネット１８と第２のシャフト１２との間に生じる磁力により、第２の張出部１７が第２のシャフト１２に引き付けられる向きの回動方向（図４における矢印Ａ方向）の付勢力が常に付与されている。
【００３２】
このため、圧電アクチュエータ２１は、レンズホルダ４の側面によってプレート部材３０側に押圧されるが、弾性部材で形成されている第１の配線３１の連結部３１ｆ，３１ｆ、第２の配線３２の連結部３２ｆ，３２ｆ、第３の配線３３の連結部３３ｃ、及び第４の配線３４の連結部３４ｃがそれぞれ弾性変形し、圧電アクチュエータ２１の少なくとも他面側がプレート部材３０の法線方向に沿って枠部３１ａ，３１ｂ，３２ａ，３３ａ，３４ａよりも外側に押し出されている。これにより、圧電アクチュエータ２１には、レンズホルダ４側に向かう方向（図４における矢印Ｂ方向）の反力が作用し、圧電アクチュエータ２１のバンプ２１ａとレンズホルダ４の側面との当接状態が維持される。
【００３３】
なお、図５に示すように、第１の配線３１の連結部３１ｆ，３１ｆ、及び第２の配線３２の連結部３２ｆ，３２ｆは、複数回にわたって略直角に折れ曲がっている。これにより、第１の配線３１の連結部３１ｆ，３１ｆ、及び第２の配線３２の連結部３２ｆ，３２ｆの長さが確保され、圧電アクチュエータ２１がレンズホルダ４の側面を押圧するための所定のバネ定数が得られる。
【００３４】
また、圧電アクチュエータ２１のノードポイントＮ１において、外部電極２３Ａと接続部３３ｂとの固定、外部電極２３Ｂと接続部３４ｂとの固定、及び接地電極２４と連結部３５との固定には、例えばハンダが用いられる。そして、圧電アクチュエータ２１のノードポイントＮ２，Ｎ３において、圧電素子の素体部分と接続部３１ｄとの固定、及び圧電素子の素体部分と接続部３２ｄとの固定には、例えばシリコーン接着剤が用いられる。
【００３５】
これにより、圧電素子の配列方向にも厚さ方向にも変位しないノードポイントＮ１で圧電アクチュエータ２１とプレート部材３０とが強固に固定され、圧電素子の配列方向には変位するが厚さ方向には変位しないノードポイントＮ２，Ｎ３で圧電アクチュエータ２１とプレート部材３０とがフレキシブルに固定されるので、プレート部材３０に対する圧電アクチュエータ２１の姿勢を安定させることが可能となる。
【００３６】
一方、第１の配線３１の枠部３１ａ，３１ａの端部３１ｇ，３１ｇ、第２の配線３２の枠部３２ｃの端部３２ｇ、第３の配線３３の枠部３３ａの端部３３ｇ、第４の配線３４の枠部３４ａの端部３４ｇは、ベース部２に設けられた挿通孔２ａ（図２参照）を通ってベース部２の底面側に引き出されている。各端部３１ｇ，３１ｇ，３２ｇ，３３ｇ，３４ｇは、圧電アクチュエータ２１の外部端子として機能する。
【００３７】
これらの外部端子は、ベース部２の底面側に引き出される部分を互いに連結した形で作製し、ベース部２と共にインサート成形した後、連結部分をカットすることによって形成することが好ましい。また、連結部分を形成しない場合には、ベース部２の挿通孔２ａに各端部３１ｇ，３１ｇ，３２ｇ，３３ｇ，３４ｇをそれぞれ通して外部端子とすることもできる。
【００３８】
以上説明したように、レンズ駆動装置１Ａでは、圧電アクチュエータ２１の一面側がレンズホルダ４の側面に当接した状態において、連結部３１ｆ，３２ｆ，３３ｃ，３４ｃが弾性変形することにより、圧電アクチュエータ２１の少なくとも他面側がプレート部材３０の法線方向に沿って枠部３１ａ，３１ｂ，３２ａ，３３ａ，３４ａよりも外側に押し出されている。この連結部３１ｆ，３２ｆ，３３ｃ，３４ｃの弾性変形により、圧電アクチュエータ２１には、レンズホルダ４側に向かう方向の反力が作用するので、圧電アクチュエータ２１とレンズホルダ４の側面との当接状態が維持される。
【００３９】
また、プレート部材３０は、外部電極２３Ａ，２３Ｂ及び接地電極２４にそれぞれ接続される配線部３１ｄ，３２ｄ，３３ｂ，３４ｂと、支柱１３Ａ，１３Ｂに対して固定される枠部３１ａ，３１ａと、配線部３１ｄ，３２ｄ，３３ｂ，３４ｂと枠部３１ａ，３１ｂ，３２ａ，３３ａ，３４ａとを連結する連結部３１ｆ，３２ｆ，３３ｃ，３４ｃとを有している。したがって、プレート部材３０が圧電アクチュエータ２１の外部端子としての機能を兼ね備えることとなり、従来のようなフレキシブルプリント基板が不要となるので、圧電アクチュエータ２１周りの部品点数の増加を抑えることができる。これにより、装置の小型化及び低コスト化が図られる。
【００４０】
また、ベース部２には、プレート部材３０の枠部３１ａ，３１ｂ，３２ｃ，３３ａ，３４ａが通る挿通孔２ａが設けられ、枠部３１ａ，３１ｂ，３２ｃ，３３ａ，３４ａの端部３１ｇ，３１ｇ，３２ｇ，３３ｇ，３４ｇは、挿通孔２ａを通ってベース部２の外側に引き出されている。これにより、圧電アクチュエータ２１周りの構成がより簡素化するので、装置の一層の小型化が図られる。
【００４１】
また、プレート部材３０は、ベース部２において隣り合う支柱１３Ａ，１３Ｂ間に掛け渡されている。このような構成によれば、支柱１３Ａ，１３Ｂ間の空きスペースを利用することで、圧電アクチュエータ２１をレンズホルダ４の側面に近接して配置できるため、装置の更なる小型化が図られる。
【００４２】
［第２実施形態］
続いて、本発明の第２実施形態について説明する。図７は、本発明の第２実施形態に係るレンズ駆動装置を示す斜視図である。また、図８は、その分解斜視図であり、図９は、図７に示したレンズ駆動装置をカバー部を取り除いて示す斜視図である。さらに、図１０は、図９の平面図である。
【００４３】
図７〜図１０に示すように、第２実施形態に係るレンズ駆動装置１Ｂは、第２のシャフト１２の近傍の構成が第１実施形態と異なっており、その他の構成は第１実施形態と同様となっている。より具体的には、レンズ駆動装置１Ｂでは、レンズホルダ４の側面において第１の張出部１６に対向する位置に、レンズホルダ４におけるベース部２寄りの部分から外側に向かって張り出す第２の張出部４７が形成されている。
【００４４】
この第２の張出部４７には、第２のシャフト１２に対応する挿通孔４７ａが形成されている。挿通孔４７ａの断面形状は略楕円状となっており、図１０に示すように、第２のシャフト１２の直径と略等幅で第１のシャフト１１の位置と第２のシャフト１２の位置とを結ぶ第１の方向Ｌ１に沿って延びている。第２のシャフト１２は、挿通孔４７ａの略中央部分に通されており、第２のシャフト１２の周面は、挿通孔４７ａを形成する内壁面に当接した状態となっている。これにより、第１のシャフト１１によって許容されるレンズホルダ４の移動のうち、第１のシャフト１１回りの回動が規制される。
【００４５】
このようなレンズ駆動装置１Ｂにおいても、圧電アクチュエータ２１の一面側がレンズホルダ４の側面に当接した状態において、連結部３１ｆ，３２ｆ，３３ｃ，３４ｃが弾性変形することにより、圧電アクチュエータ２１の少なくとも他面側がプレート部材３０の法線方向に沿って枠部３１ａ，３１ｂ，３２ａ，３３ａ，３４ａよりも外側に押し出されている。この連結部３１ｆ，３２ｆ，３３ｃ，３４ｃの弾性変形により、圧電アクチュエータ２１には、第１の方向Ｌ１に交差する第２の方向Ｌ２に沿ってレンズホルダ４側に向かう方向の反力が作用するので、圧電アクチュエータ２１とレンズホルダ４の側面との当接状態が維持される。
【００４６】
また、プレート部材３０は、外部電極２３Ａ，２３Ｂ及び接地電極２４にそれぞれ接続される配線部３１ｄ，３２ｄ，３３ｂ，３４ｂと、支柱１３Ａ，１３Ｂに対して固定される枠部３１ａ，３１ａと、配線部３１ｄ，３２ｄ，３３ｂ，３４ｂと枠部３１ａ，３１ｂ，３２ａ，３３ａ，３４ａとを連結する連結部３１ｆ，３２ｆ，３３ｃ，３４ｃとを有している。したがって、プレート部材３０が圧電アクチュエータ２１の外部端子としての機能を兼ね備えることとなり、従来のようなフレキシブルプリント基板が不要となるので、圧電アクチュエータ２１周りの部品点数の増加を抑えることができる。これにより、装置の小型化及び低コスト化が図られる。
【００４７】
また、ベース部２には、プレート部材３０の枠部３１ａ，３１ｂ，３２ｃ，３３ａ，３４ａが通る挿通孔２ａが設けられ、枠部３１ａ，３１ｂ，３２ｃ，３３ａ，３４ａの端部３１ｇ，３１ｇ，３２ｇ，３３ｇ，３４ｇは、挿通孔２ａを通ってベース部２の外側に引き出されている。これにより、圧電アクチュエータ２１周りの構成がより簡素化するので、装置の一層の小型化が図られる。
【００４８】
また、プレート部材３０は、ベース部２において隣り合う支柱１３Ａ，１３Ｂ間に掛け渡されている。このような構成によれば、支柱１３Ａ，１３Ｂ間の空きスペースを利用することで、圧電アクチュエータ２１をレンズホルダ４の側面に近接して配置できるため、装置の更なる小型化が図られる。
【００４９】
本発明は、上記実施形態に限られるものではない。例えば上述した第２実施形態では、第１の方向Ｌ１に沿って延びる挿通孔４７ａをレンズホルダ４の第２の張出部４７に設けているが、挿通孔４７ａに代えて、例えば図１１に示すように、断面形状が第１の方向Ｌ１に沿って延びる切欠溝４８ｂをレンズホルダ４の第２の張出部４８に設けてもよい。このような形態であっても、上述した実施形態と同様の作用効果が得られる。
【符号の説明】
【００５０】
１Ａ，１Ｂ…レンズ駆動装置、２…ベース部、２ａ…挿通孔、４…レンズホルダ、４ａ…貫通孔、１１…第１のシャフト、１２…第２のシャフト、１３Ａ，１３Ｂ…支柱、２１…圧電アクチュエータ、２３Ａ，２３Ｂ…外部電極、２４…接地電極、３０…プレート部材（押圧部材）、３１ｄ，３２ｄ，３３ｂ，３４ｂ…配線部、３１ａ，３１ｂ，３２ａ，３２ｃ，３３ａ，３４ａ…枠部、３１ｆ，３２ｆ，３３ｃ，３４ｃ…連結部、端部…３１ｇ，３１ｇ，３２ｇ，３３ｇ，３４ｇ、Ｎ１〜Ｎ３…ノードポイント。
【図１】
2011133801.tif 000003
【図２】
2011133801.tif 000004
【図３】
2011133801.tif 000005
【図４】
2011133801.tif 000006
【図５】
2011133801.tif 000007
【図６】
2011133801.tif 000008
【図７】
2011133801.tif 000009
【図８】
2011133801.tif 000010
【図９】
2011133801.tif 000011
【図１０】
2011133801.tif 000012
【図１１】
2011133801.tif 000013